(57)【要約】      （修正有）【課題】  メインテナンスし易い加熱機構を備えた液化石油ガス収容／供給装置を提供する。【解決手段】液化石油ガスを収容し、気化したガスを供給するための液化石油ガス収容／供給装置は、容器の下部から下方に延びる周壁及び周壁の下部に形成された開口を備える容器支持部材と、液化石油ガスを気化させるための加熱機構とを有し、加熱機構が、容器支持部材の開口を塞ぐように容器支持部材に着脱自在に取り付けられた蓋部材と、容器と容器支持部材と蓋部材とによって構成された加熱空間に供給される循環被加熱媒体と、一方の端が加熱空間と連通された第１導管と、一方の端が加熱空間と連通された第２導管と、循環被加熱媒体を加熱するための加熱手段と、加熱手段によって加熱された循環被加熱媒体を第１導管又は第２導管を介して加熱空間に供給し、加熱空間の循環被加熱媒体を加熱手段に戻すポンプ手段とを有する。【選択図】      図２
2006083994.tif 000002
【特許請求の範囲】
【請求項１】
液化石油ガスを収容し、気化したガスを供給するための液化石油ガス収容／供給装置であって、液化石油ガスを収容する容器と、該容器の下部から下方に延びる周壁及び該周壁の下部に形成された開口を備える容器支持部材と、前記液化石油ガスの液体を気化させるための加熱機構とを有し、該加熱機構が、
前記容器支持部材の前記開口を塞ぐように前記容器支持部材に着脱自在に取り付けられた蓋部材と、
前記容器と前記容器支持部材と前記蓋部材とによって構成された加熱空間に供給される循環被加熱媒体と、
一方の端が前記加熱空間と連通された第１導管と、
一方の端が前記加熱空間と連通された第２導管と、
前記第１導管の他方の端及び前記第２導管の他方の端と接続された、前記循環被加熱媒体を加熱するための加熱手段と、
該加熱手段によって加熱された前記循環被加熱媒体を前記第１導管又は前記第２導管を介して前記加熱空間に供給し、該加熱空間の循環被加熱媒体を前記第２導管又は前記第１導管を介して加熱手段に戻すポンプ手段とを有する、
液化石油ガス収容／供給装置。
【請求項２】
液化石油ガスを収容し、気化したガスを供給するための液化石油ガス収容／供給装置であって、液化石油ガスを収容する容器と、該容器の下部から下方に延びる周壁及び該周壁の下部に形成された開口を備える容器支持部材と、前記液化石油ガスの液体を気化させるための加熱機構とを有し、該加熱機構が、
前記容器支持部材の前記開口を塞ぐように前記容器支持部材に着脱自在に取り付けられた蓋部材と、
前記容器と前記容器支持部材と前記蓋部材とによって構成された加熱空間に充填された充填被加熱媒体と、
前記加熱空間の外部に配置された第１端、第２端を有し、一部が前記加熱空間内を通って前記第１端と前記第２端との間に延びる導管と、
該導管に供給される循環被加熱媒体と、
前記導管の前記第１端及び前記第２端に接続された、前記循環被加熱媒体を加熱するための加熱手段と、
前記循環被加熱媒体を該加熱手段及び前記導管内を循環させるためのポンプ手段とを有する、
液化石油ガス収容／供給装置。
【請求項３】
前記加熱空間内の前記導管の前記一部の少なくとも一部が螺旋に形作られている、請求項２記載の容器。
【請求項４】
前記加熱空間内の前記導管の前記一部の少なくとも一部にフィンが設けられている、請求項２又は請求項３記載の容器。
【請求項５】
液化石油ガスを収容し、気化したガスを供給するための液化石油ガス収容／供給装置であって、液化石油ガスを収容する容器と、該容器の下部から下方に延びる周壁及び該周壁の下部に形成された開口を備える容器支持部材とを有する前記液化石油ガス収容／供給装置の前記容器の液化石油ガスを気化させる方法であって、
蓋部材を、前記容器支持部材の前記開口を塞ぐように、前記容器支持部材に取り付けて、前記容器と前記容器支持部材と前記蓋部材とによって加熱空間を構成し、
加熱手段によって加熱された循環被加熱媒体をポンプ手段によって前記加熱空間に供給して、該循環被加熱媒体と前記容器に収容された液化石油ガスとの間で熱交換させ、
熱交換された前記循環被加熱媒体を前記ポンプ手段によって前記加熱空間から前記加熱手段に戻し、該加熱手段によって再加熱された前記循環被加熱媒体を前記加熱空間に供給することを含む、
液化石油ガス収容／供給装置に収容された液化石油ガスを気化させる方法。
【請求項６】
液化石油ガスを収容し、気化したガスを供給するための液化石油ガス収容／供給装置であって、液化石油ガスを収容する容器と、該容器の下部から下方に延びる周壁及び該周壁の下部に形成された開口を備える容器支持部材とを有する前記液化石油ガス収容／供給装置の前記容器の液化石油ガスを気化させる方法であって、
蓋部材を、前記容器支持部材の前記開口を塞ぐように、前記容器支持部材に取り付けて、前記容器と前記容器支持部材と前記蓋部材とによって加熱空間を構成し、
前記加熱空間の外部に配置された第１端、第２端を有し、該第１端と第２端との間に延びる導管の一部を前記加熱空間内に通し、
該加熱空間に充填被加熱媒体を充填し、
加熱手段によって加熱された循環被加熱媒体をポンプ手段によって前記第１端又は第２端から前記導管に供給して、前記循環被加熱媒体と前記充填被加熱媒体との間で熱交換させ、加熱された充填被加熱媒体と前記容器に収容された液化石油ガスとの間で熱交換させ、
熱交換された前記導管内の前記循環被加熱媒体をポンプ手段によって前記第２端又は第１端から加熱手段に戻し、該加熱手段によって再加熱された循環被加熱媒体を前記第１端又は第２端から前記導管に供給することを含む、
液化石油ガス収容／供給装置に収容された液化石油ガスを気化させる方法。
【発明の詳細な説明】
【技術分野】
【０００１】
本発明は、液化石油ガス収容／供給装置に関し、特に、液化石油ガス収容／供給装置用の加熱手段に関する。
【背景技術】
【０００２】
従来から容器、例えば、ボンベに液化石油ガス、例えば、プロパンを収容し、気化したプロパンガスをボンベから所望の装置等に供給するシステムが知られている。
【０００３】
一般的なガス収容／供給装置では、液化プロパンは、ボンベを介して周囲の熱によって自然気化されるのであるが、ボンベから供給されるガスの使用状況によってはボンベ内で自然気化されるガスの量を使用されるガスの量が上回ってしまうことがあり、また、周囲温度の低下により十分気化熱が得られない結果、通常予想される量の範囲内でガスが使用、消費されていても、ボンベからの供給ガス量が不足してしまうということがあった。
【０００４】
例えば、５００kg容量の容器において、液化ガス量が３０％、外気温が５度Ｃであるとき、時間当たり、約２２kg程度のガスの発生が見込まれる。
しかし、この条件で長時間消費した場合、消費時間の経過に伴って、容器外表面から得られる熱エネルギーよりも液化ガスを気化させるのに必要な気化潜熱の方が大きくなってしまい、液化ガスの液温が下がると共にガス圧力が低下してしまう。
そこで、液化ガスを長時間使用する場合はベーパーライザー（強制気化器）を使用して強制的に気化を促進させる方法がとられる。
しかし、ベーパーライザーの付加は、設備費の増大を招くとともに、そのための設置スペースがまた必要となる。
【０００５】
このような不都合を解消するため、ボンベ内で発生させることができるガスの量を向上させ、或いは、安定させるための加熱機構を備えた液化石油ガス収容／供給装置が開発されている。
【０００６】
特許文献１には、上述したような加熱機構を備えた液化石油ガス収容／供給装置が開示されている。すなわち、図１に示すように、液化石油ガス用貯槽１は、全体的に参照番号２で示す加熱機構を有し、この加熱機構２は、貯槽１の外壁３に貫入して貯槽１内に延び、外壁３に溶接された中空管４を有する。中空管４には、貯槽１の外部において分岐した戻し管５が設けられている。
【０００７】
加熱機構２はまた、貯槽１の外部において中空管４に貫入する供給管６を有する。
加熱機構２は更に、貯槽１の外部に配置されたヒーター／ポンプユニット７を有し、このユニット７は、供給管６及び戻し管５に接続され、水を加熱して供給管６内に圧送し、供給管６、中空管４、戻し管５を流れて戻ってきた水を再び加熱して、圧送するようになっている。中空管４を流れる加熱された水は、貯槽１内に収容されている液体を気化させるのに役立つ。
【０００８】
【特許文献１】特開２０００―３２０７９６号公報
【０００９】
ところで、この種の液化石油ガス収容／供給装置には収容物により高い圧力が加えられるので、かかる容器に使用される加熱機構の管は、このような圧力に耐え得る肉厚に設計されなければならない。しかして、加熱機構の管、例えば、図１における中空管４の肉厚が或る寸法に至ったときには、これらを一体品として成形等形成することが実際上困難になる。
【００１０】
このような場合、中空管４を複数の部品から構成し、これらの部品同士を、例えば、接合部４Ａで溶接するのが一般的である。
かくして、加熱機構のメインテナンスに際しては、特に上記中空管４の溶接接合部４Ａを重点的に保守、点検する必要がある。
【００１１】
しかしながら、中空管４は溶接等によって貯槽に固定されてしまっているので、これらの管を貯槽から取り出してメインテナンスすることはできない。従って、このようなメインテナンスを行うためには容器内に入り込まなければならないが、そのためには容器内の収容物を除去しなければならず、また、メインテナンス作業を容器内という限定された空間で行わなければならないという問題があった。
【発明の開示】
【発明が解決しようとする課題】
【００１２】
本発明は、上述した従来技術の問題点を解決するためになされたものであり、メインテナンスし易い加熱機構を備えた液化石油ガス収容／供給装置、及び、液化石油ガス収容／供給装置に収容された液化石油ガスを気化させる方法を提供することを目的とする。
【課題を解決するための手段】
【００１３】
上記目的を達成するため、本件第１発明による、液化石油ガスを収容し、気化したガスを供給するための液化石油ガス収容／供給装置は、液化石油ガスを収容する容器と、該容器の下部から下方に延びる周壁及び該周壁の下部に形成された開口を備える容器支持部材と、前記液化石油ガスの液体を気化させるための加熱機構とを有し、該加熱機構が、前記容器支持部材の前記開口を塞ぐように前記容器支持部材に着脱自在に取り付けられた蓋部材と、前記容器と前記容器支持部材と前記蓋部材とによって構成された加熱空間に供給される循環被加熱媒体と、一方の端が前記加熱空間と連通された第１導管と、一方の端が前記加熱空間と連通された第２導管と、前記第１導管の他方の端及び前記第２導管の他方の端と接続された、前記循環被加熱媒体を加熱するための加熱手段と、該加熱手段によって加熱された前記循環被加熱媒体を前記第１導管又は前記第２導管を介して前記加熱空間に供給し、該加熱空間の循環被加熱媒体を前記第２導管又は前記第１導管を介して加熱手段に戻すポンプ手段とを有することを特徴とする。
【００１４】
上記目的を達成するため、本件第２発明による、液化石油ガスを収容し、気化したガスを供給するための液化石油ガス収容／供給装置は、液化石油ガスを収容する容器と、該容器の下部から下方に延びる周壁及び該周壁の下部に形成された開口を備える容器支持部材と、前記液化石油ガスの液体を気化させるための加熱機構とを有し、該加熱機構が、前記容器支持部材の前記開口を塞ぐように前記容器支持部材に着脱自在に取り付けられた蓋部材と、前記容器と前記容器支持部材と前記蓋部材とによって構成された加熱空間に充填された充填被加熱媒体と、前記加熱空間の外部に配置された第１端、第２端を有し、一部が前記加熱空間内を通って前記第１端と前記第２端との間に延びる導管と、該導管に供給される循環被加熱媒体と、前記導管の前記第１端及び前記第２端に接続された、前記循環被加熱媒体を加熱するための加熱手段と、前記循環被加熱媒体を該加熱手段及び前記導管内を循環させるためのポンプ手段とを有することを特徴とする。
【００１５】
本件第２発明では、前記加熱空間内の前記導管の少なくとも一部が螺旋に形作られているのが好ましい。
また、前記加熱空間内の前記導管の少なくとも一部にフィンが設けられているのが好ましい。
【００１６】
上記目的を達成するため、本件第３発明による、液化石油ガスを収容し、気化したガスを供給するための液化石油ガス収容／供給装置であって、液化石油ガスを収容する容器と、該容器の下部から下方に延びる周壁及び該周壁の下部に形成された開口を備える容器支持部材とを有する前記液化石油ガス収容／供給装置の前記容器の液化石油ガスを気化させる方法は、蓋部材を、前記容器支持部材の前記開口を塞ぐように、前記容器支持部材に取り付けて、前記容器と前記容器支持部材と前記蓋部材とによって加熱空間を構成し、加熱手段によって加熱された循環被加熱媒体をポンプ手段によって前記加熱空間に供給して、該循環被加熱媒体と前記容器に収容された液化石油ガスとの間で熱交換させ、熱交換された前記循環被加熱媒体を前記ポンプ手段によって前記加熱空間から前記加熱手段に戻し、該加熱手段によって再加熱された前記循環被加熱媒体を前記加熱空間に供給することを含むことを特徴とする。
上記目的を達成するため、本件第４発明による、液化石油ガスを収容し、気化したガスを供給するための液化石油ガス収容／供給装置であって、液化石油ガスを収容する容器と、該容器の下部から下方に延びる周壁及び該周壁の下部に形成された開口を備える容器支持部材とを有する前記液化石油ガス収容／供給装置の前記容器の液化石油ガスを気化させる方法は、蓋部材を、前記容器支持部材の前記開口を塞ぐように、前記容器支持部材に取り付けて、前記容器と前記容器支持部材と前記蓋部材とによって加熱空間を構成し、前記加熱空間の外部に配置された第１端、第２端を有し、該第１端と第２端との間に延びる導管の一部を前記加熱空間内に通し、該加熱空間に充填被加熱媒体を充填し、加熱手段によって加熱された循環被加熱媒体をポンプ手段によって前記第１端又は第２端から前記導管に供給して、前記循環被加熱媒体と前記充填被加熱媒体との間で熱交換させ、加熱された充填被加熱媒体と前記容器に収容された液化石油ガスとの間で熱交換させ、熱交換された前記導管内の前記循環被加熱媒体をポンプ手段によって前記第２端又は第１端から加熱手段に戻し、該加熱手段によって再加熱された循環被加熱媒体を前記第１端又は第２端から前記導管に供給することを含むことを特徴とする。
【発明の効果】
【００１７】
本件第１発明の容器では、容器支持部材の内部空間に循環被加熱媒体を供給する構成としたので、液化石油ガスが収容される容器内に循環被加熱媒体を供給する管などを通す必要はなく、従って、液化石油ガスを気化させる機構に関しては、液化石油ガスが収容される容器内をメインテナンスする必要をなくすことができる。
本件第２発明の容器では、容器支持部材の内部空間に充填被加熱媒体を充填し、この充填被加熱媒体を加熱する構成としたので、液化石油ガスが収容される容器内に循環被加熱媒体を供給する管などを通す必要はなく、従って、液化石油ガスを気化させる機構に関しては、液化石油ガスが収容される容器内をメインテナンスする必要をなくすことができる。
【００１８】
本件第３発明の方法では、容器支持部材の内部空間に循環被加熱媒体を供給するので、液化石油ガスが収容される容器内に循環被加熱媒体を供給する管などを通す必要はなく、従って、液化石油ガスを気化させる機構に関しては、液化石油ガスが収容される容器内をメインテナンスする必要をなくすことができる。
【００１９】
本件第４発明の方法では、容器支持部材の内部空間に充填被加熱媒体を充填し、この充填被加熱媒体を加熱するので、液化石油ガスが収容される容器内に循環被加熱媒体を供給する管などを通す必要はなく、従って、液化石油ガスを気化させる機構に関しては、液化石油ガスが収容される容器内をメインテナンスする必要をなくすことができる。
【発明を実施するための最良の形態】
【００２０】
以下、添付図面を参照して、本発明の２つの実施形態について説明する。これらの実施形態は、本発明を、プロパン用貯槽装置に適用したものである。
【００２１】
図２を参照すると、本発明によるプロパン収容／供給装置の第１実施形態が示されている。
全体的に参照番号１０で示されるプロパン収容／供給装置は、液化されたプロパンを収容し、気化したガスを供給することができるようになっている。
【００２２】
すなわち、貯槽Ｔの内部にはガス供給管ＳＤが設けられ、ガス供給管ＳＤの一方の端部ＳＤ１は貯槽Ｔの内部上方に位置決めされ、他方の端部ＳＤ２は、貯槽Ｔの外部に延び、３又分岐管に形成されている。
【００２３】
この３又分岐管ＳＤ２の第１の分岐管には、プロパンガス供給用の接続用開閉バルブ１６が設けられ、このバルブ１６にはプロパンガスを外部の装置（図示せず）に供給するための供給導管１７が接続されるようになっている。従って、バルブ１６を開放すると、貯槽Ｔ内のプロパンガスがガス供給管ＳＤ、バルブ１６、供給導管１７を通って外部の装置（図示せず）に供給される。
【００２４】
３又分岐管ＳＤ２の第２の分岐管には均圧バルブ１８が設けられ、このバルブ１８には、タンクローリーのタンク(図示せず)の気相部から延びるチューブ(図示せず)が接続されるようになっている。３又分岐管ＳＤ２の第３の分岐管に設けられているのは安全弁１９である。
上述した３又分岐管ＳＤ２の各バルブや、これらに接続される導管等、また、説明を省略した、貯槽Ｔに液化プロパンを充填するための機構等は、いずれも、既知のものであって、本発明の特徴を構成するものではないので、これらについての詳細な構造、作動についての説明は省略する。
【００２５】
貯槽Ｔは、下部に、貯槽支持部材、すなわち、スカート部材２０を有する。スカート部材２０は、貯槽Ｔの下部から下方に延びる周壁２１と、この周壁２１の下縁によって構成された開口２２とを有する。この実施形態では、周壁２１の下部は、内方に折り曲げられて内方取付部２１Ａを構成するが、外方に折り曲げて外方取付部を構成しても良く、或いは、いずれにも折り曲げられなくとも良い。
【００２６】
プロパン収容／供給装置１０はまた、貯槽Ｔに収容された液化プロパンを気化させるための加熱機構３０を有する。
加熱機構３０は、スカート部材２０の開口２２を塞ぐようにスカート部材２０に着脱自在に取り付けられた蓋部材３１を有する。この実施形態では、蓋部材３１は、スカート部材２０の下部に形成された内方取付部２１Ａに、既知の任意の取付手段、例えば、図示しないボルト、ナットを用いて取り付けられる。蓋部材３１とスカート部材２０の内方取付部２１Ａとのシール性を高めるため、既知の任意のシール手段、例えば、パッキンを用いるのが良い。
【００２７】
開口２２を塞ぐようにスカート部材２０に蓋部材３１を取り付けることによって、貯槽Ｔとスカート部材２０と蓋部材３１とによって加熱空間ＨＳが構成され、このこの加熱空間ＨＳには、後述するように、循環被加熱媒体Ｆ、この実施形態では、水が供給されるようになっている。
【００２８】
加熱空間ＨＳを構成するスカート部材２０の上部には空気抜機構が設けられている。この空気抜機構は、スカート部材２０の上部に形成された貫通孔ＶＥ１と、この貫通孔ＶＥ１を塞ぐ、すなわち、密封することができるボールＶＥ２と、このボールＶＥ２を加熱空間ＨＳ内において貫通孔ＶＥ１に近接して保持するようにスカート部材２０に取り付けられた網状部材ＶＥ３とを有する。
後述する仕方で加熱空間ＨＳ内に循環被加熱媒体Ｆが供給されると、加熱空間ＨＳ内の空気は貫通孔ＶＥ１から加熱空間ＨＳ外に放出され、加熱空間ＨＳが循環被加熱媒体Ｆで満たされると、ボールＶＥ２が貫通孔ＶＥ１を密封する。
【００２９】
加熱機構３０はまた、供給管３２と、回収管３３とを有する。供給管３２の第１端３２Ａと、回収管３３の第１端３３Ａは、共に、加熱空間ＨＳと連通されている。
【００３０】
加熱機構３０は更に循環被加熱媒体Ｆを加熱するためのボイラー３４を有し、このボイラー３４には供給管３２の第２端３２Ｂと、回収管３３の第２端３３Ｂとが接続されている。
かくして、加熱空間ＨＳと、供給管３２と、ボイラー３４と、回収管３３とによって循環被加熱媒体Ｆの循環路が構成される。
【００３１】
加熱機構３０は更にまた、ボイラー３４によって加熱された循環被加熱媒体（温水）Ｆを供給管３２を介して加熱空間ＨＳに供給し、加熱空間ＨＳの循環被加熱媒体Ｆを回収管３３を介してボイラー３４に戻すポンプＰを有する。
【００３２】
加熱機構３０はまた、加熱空間ＨＳに供給された水の温度を測定する温度センサー、この実施形態では、サーミナルレジスタ、すなわち、サーミスタ３５を有する。このサーミスタ３５には制御装置３６が電気的に接続され、制御装置３６はまた、ボイラー３４及びポンプＰに電気的に接続されている。制御装置３６は、加熱空間ＨＳ内の水の温度変化に反応したサーミスタ３５の電気抵抗の増減に応じてボイラー３４及び／又はポンプＰの作動を制御し、加熱空間ＨＳ内の水を所定温度に制御するようになっている。
【００３３】
以下に、上記構造のプロパン収容／供給装置１０、特に、加熱機構３０の作動について説明する。
上述した循環路に充填された循環被加熱媒体Ｆは、ポンプＰによってボイラー３４に圧送され、ボイラー３４で所定温度、例えば４０℃まで加熱され、この実施形態では、供給管３２を介して加熱空間ＨＳに圧送され、循環被加熱媒体（温水）Ｆは、加熱空間ＨＳにおいて、貯槽Ｔ、ひいては、貯槽Ｔに収容された液化プロパンと熱交換される。循環被加熱媒体（温水）Ｆによって加熱された貯槽Ｔの液化プロパンはガス化される。
【００３４】
熱交換された循環被加熱媒体Ｆは、ポンプＰによって、加熱空間ＨＳからボイラー３４に戻され、ボイラー３４によって再加熱されて、加熱空間ＨＳに再度供給される。尚、加熱空間ＨＳの水は、サーミスター３５によって温度測定され、この測定結果に応じて制御装置３６がボイラー３４及び／又はポンプＰの作動を制御することによって、所定温度に制御される。
【００３５】
加熱機構３０のメインテナンスを行うに当たっては、スカート部材２０から蓋部材３１を取り外せば良く、貯槽Ｔのプロパンを抜いて、貯槽Ｔ内に入り込まなければならないという煩わしさを回避することができる。
【００３６】
次に、図３を参照すると、本発明によるプロパン収容／供給装置の第２実施形態が示されている。
全体的に参照番号５０で示されたプロパン収容／供給装置は、液化されたプロパンを収容し、気化したガスを供給することができるようになっていること、下部に、スカート部材２０を有することなど、多くの構成がプロパン収容／供給装置１０における構成と同一である。従って、プロパン収容／供給装置１０と同一の構成であるプロパン収容／供給装置５０の構成についての説明は省略することとし、相違する点を中心に以下説明する。
【００３７】
プロパン収容／供給装置５０もまた、貯槽Ｔに収容された液化プロパンを気化させるための加熱機構６０を有する。
【００３８】
加熱機構６０は、スカート部材２０の開口２２を塞ぐようにスカート部材２０に着脱自在に取り付けられた蓋部材３１を有する。この実施形態では、蓋部材３１は、スカート部材２０の下部に形成された内方取付部２１Ａに、既知の任意の取付手段、例えば、図示しないボルト、ナットを用いて取り付けられる。蓋部材３１とスカート部材２０のの内方取付部２１Ａとのシール性を高めるため、既知の任意のシール手段、例えば、パッキンを用いるのが良い。
【００３９】
開口２２を塞ぐようにスカート部材２０に蓋部材３１を取り付けることによって、貯槽Ｔとスカート部材２０と蓋部材３１とによって加熱空間ＨＳが構成され、このこの加熱空間ＨＳには、充填被加熱媒体Ｆ１、この実施形態では、防錆剤が入った水が充填される。
【００４０】
加熱機構６０はまた、加熱空間ＨＳの外部に配置された第１端６１Ａ、第２端６１Ｂを備え、且つ、一部が加熱空間ＨＳ内を通って第１端６１Ａと第２端６１Ｂとの間に延びる導管６１を有する。この導管６１には循環被加熱媒体Ｆ２（温水）が供給される。
加熱空間ＨＳ内に延びる導管６１の部分は加熱部分６１Ｃを構成し、この加熱部分６１Ｃの一部は、伝熱効率を高めるため螺旋に形作られている。変形例として、加熱部分６１Ｃの少なくとも一部にフィンを設けても良い。
【００４１】
加熱機構６０は更に循環被加熱媒体Ｆ２を加熱するためのボイラー６２を有し、このボイラー６２には導管６１の第１端６１Ａ、第２端６１Ｂが接続されている。
かくして、導管６１とボイラー６２とによって循環被加熱媒体Ｆ２の循環路が構成される。
【００４２】
加熱機構６０は更にまた、ボイラー６２によって加熱された循環被加熱媒体（温水）Ｆ２を前述した循環路内を循環させるためのポンプＰを有する。
加熱機構６０はまた、第１端６１Ａと加熱空間ＨＳとの間、及び、第２端６１Ｂと加熱空間ＨＳとの間で導管６１に接続用開閉バルブＶ１、Ｖ２を有する。これらのバルブＶ１、Ｖ２を介して、ボイラー６２及び貯槽Ｔを互いに分離することが容易となり、これにより、夫々のメインテナンスがし易くなる。
【００４３】
加熱機構６０は更に、加熱空間ＨＳに充填された充填被加熱媒体Ｆ１の温度を測定する温度センサー、この実施形態では、サーミスタ６５を有する。このサーミスタ６５には制御装置６６が電気的に接続され、制御装置６６はまた、ボイラー６２及びポンプＰに電気的に接続されている。制御装置６６は、加熱空間ＨＳ内の充填被加熱媒体Ｆ１の温度変化に反応したサーミスタ６５の電気抵抗の増減に応じてボイラー６２及び／又はポンプＰの作動を制御し、加熱空間ＨＳ内の充填被加熱媒体Ｆ１を所定温度に制御するようになっている。
【００４４】
以下に、上記構造のプロパン収容／供給装置５０、特に、加熱機構６０の作動について説明する。
上述した循環路の循環被加熱媒体Ｆ２は、ポンプＰによってボイラー６２に圧送され、ボイラー６２で所定温度まで上昇され、この実施形態では、供給管６１内を圧送されて、加熱空間ＨＳ内に配置された加熱部分６１Ｃにおいて、加熱空間ＨＳに充填された充填被加熱媒体Ｆ１と熱交換される。
【００４５】
加熱された循環被加熱媒体Ｆ２と熱交換された充填被加熱媒体Ｆ１は、貯槽Ｔ、ひいては、貯槽Ｔに収容されたプロパンと熱交換される。
充填被加熱媒体Ｆ１と熱交換された循環被加熱媒体Ｆ２は、ポンプＰによって更に導管６１内を圧送され、この実施形態では、第２端６１Ａからボイラー６２に戻される。循環被加熱媒体Ｆ２は、このボイラー６２によって、再加熱され、再び、第１端６１Ｂから第２端６１Ａに向けて導管６１を圧送される。
【００４６】
尚、加熱空間ＨＳの充填被加熱媒体Ｆ１は、サーミスター６５によって温度測定され、この測定結果に応じて制御装置３６がボイラー６２及び／又はポンプＰの作動を制御することによって、所定温度に制御される。
【００４７】
加熱機構６０のメインテナンスを行うに当たっては、スカート部材２０から蓋部材３１を取り外せば良く、貯槽Ｔのプロパンを抜いて、貯槽Ｔ内に入り込まなければならないという煩わしさを回避することができる。
【００４８】
本発明は、上述した実施形態に限定されることなく、種々の変更が可能である。
例えば、循環被加熱媒体Ｆ、充填被加熱媒体Ｆ１、循環被加熱媒体Ｆ２の温度を直接、或いは、間接的に検出するためのセンサー手段、及び、その検出結果に応じてプロパンの温度を最適化するように循環被加熱媒体Ｆ、充填被加熱媒体Ｆ１、循環被加熱媒体Ｆ２の温度を制御する制御装置を設けても良い。
【００４９】
また、循環被加熱媒体Ｆ、循環被加熱媒体Ｆ２として気体を使用することができ、この場合には、上記実施形態におけるポンプＰに代えて送風機、或いは、吸引機が用いられる。
【００５０】
更に、加熱機構３０において、加熱機構６０におけるバルブＶ１、Ｖ２のように、貯槽Ｔに隣接して、供給管３２、回収管３３の夫々に、バルブを設けても良い。この場合には、ボイラー３４を貯槽Ｔから分離することが容易となり、ボイラー３４のメインテナンスに有利である。
更にまた、ボイラー３４、６２に代えて、電熱器を用いても良い。
【産業上の利用可能性】
【００５１】
上述した実施形態では、本発明による液化石油ガス収容／供給装置をプロパン収容／供給装置として説明したけれども、本発明の液化石油ガス収容／供給装置は、プロパン以外の任意の液化石油ガスを収容するのに用いることができる。
【図面の簡単な説明】
【００５２】
【図１】従来の液化石油ガス収容／供給装置を示す概略図である。
【図２】本発明の第１実施形態によるプロパン収容／供給装置を示す概略図である。
【図３】本発明の第２実施形態によるプロパン収容／供給装置を示す概略図である。
【符号の説明】
【００５３】
１０  プロパン収容／供給装置５０（液化石油ガス収容／供給装置）
２０  スカート部材（容器支持部材）
２１  周壁
２２  開口
３０  加熱機構
３１  蓋部材
Ｔ  貯槽
ＨＳ  加熱空間
Ｆ  循環被加熱媒体
３２  供給管（第１導管）
３３  回収管（第２導管）
３４  ボイラー（加熱手段）
Ｐ  ポンプ（ポンプ手段）
【図１】
2006083994.tif 000003
【図２】
2006083994.tif 000004
【図３】
2006083994.tif 000005